(57)【要約】【課題】ユーザの操作を介さずに、プロジェクタの属性に基づいて投影データの割り当て等のプロジェクタに関する各種操作（制御）を自動的に行うことが可能なプロジェクタシステムを提供する。【解決手段】仮のマスタープロジェクタに設定されたプロジェクタが、優先順位リストに従って優先順位の高い属性から順にプロジェクタシステム１を構成する各プロジェクタの属性を比較し、その比較結果に基づいてマスタープロジェクタを選択し、選択されたマスタープロジェクタにより他のスレーブプロジェクタを操作するように構成する。【選択図】図１２
2008304837.tif 000002
【特許請求の範囲】
【請求項１】
通信可能に接続された複数のプロジェクタと、
前記複数のプロジェクタの少なくとも一の属性に基づいて前記複数のプロジェクタの内から一のプロジェクタをマスタープロジェクタとして選択するマスター選択手段と、
前記マスター選択手段によって選択されたプロジェクタ以外のプロジェクタをスレーブプロジェクタに設定するプロジェクタ設定手段と、
前記マスタープロジェクタにより前記スレーブプロジェクタを操作する操作手段と、を有することを特徴とするプロジェクタシステム。
【請求項２】
前記複数のプロジェクタの属性は優先順位が設定された複数種類の属性からなり、
前記マスター選択手段は、
優先順位の高い属性から順に属性を比較する属性比較手段を備え、
前記属性比較手段の比較結果に基づいてマスタープロジェクタを選択することを特徴とする請求項１に記載のプロジェクタシステム。
【請求項３】
前記マスター選択手段は前記プロジェクタにより投影される投影データの内容に基づいて選択基準とする属性の種類を変更することを特徴とする請求項１に記載のプロジェクタシステム。
【請求項４】
前記マスター選択手段は投影輝度、解像度、光源種別、画角、色、使用者が設定可能な属性の内、少なくとも一の属性に基づいてマスタープロジェクタを選択することを特徴とする請求項１乃至請求項３のいずれかに記載のプロジェクタシステム。
【請求項５】
前記複数のプロジェクタのいずれかのプロジェクタに接続され、接続されたプロジェクタに対して投影データを供給する投影データ供給装置と、
前記投影データ供給装置に接続されたプロジェクタを仮のマスタープロジェクタに設定するとともに、他のプロジェクタを仮のスレーブプロジェクタに設定する仮プロジェクタ設定手段と、
前記仮のスレーブプロジェクタから前記仮のマスタープロジェクタへとプロジェクタの属性データを送信する属性送信手段と、を有し、
前記マスター選択手段は前記仮のマスタープロジェクタに送信された前記複数のプロジェクタの属性データに基づいてマスタープロジェクタを選択することを特徴とする請求項１乃至請求項４のいずれかに記載のプロジェクタシステム。
【請求項６】
前記プロジェクタ設定手段は、前記マスター選択手段が前記複数のプロジェクタの属性に基づいてマスタープロジェクタを選択できなかった場合に、前記仮のマスタープロジェクタをマスタープロジェクタに設定するとともに、前記仮のスレーブプロジェクタをスレーブプロジェクタに設定することを特徴とする請求項５に記載のプロジェクタシステム。
【発明の詳細な説明】
【技術分野】
【０００１】
本発明は、通信可能に接続された複数のプロジェクタからなるプロジェクタシステムに関する。
【背景技術】
【０００２】
近年では、会議やプレゼンテーション、研修、教育などの場面において、プロジェクタ等を使用してスクリーン（投射面）に画像情報や文字情報を映すことが一般的になっている。また、従来においては複数のプロジェクタを組合せて使用し、各プロジェクタで異なる画像情報や文字情報を重ねて投影することによって、所望の投影画像を得るプロジェクタシステムについても提案されている。
【０００３】
そして、このような複数のプロジェクタを用いるプロジェクタシステムでは、複数のプロジェクタのそれぞれについて、複数の投影データ（例えば、写真や動画等の画像データ、文章データ）の内、どの投影データを投影するかを割り当てる必要がある。また、投影する投影データ以外にも、各プロジェクタの設定（明るさや台形補正などの設定値）や投影状態も制御する必要がある。例えば、特開平９−２２２７８号公報では、ユーザのキーボード操作に基づいて、中央の制御装置によって複数のプロジェクタでそれぞれ投影する画像データの切り替え等を行うプロジェクタシステムについて記載されている。
【特許文献１】特開平９−２２２７８号公報（第２−３頁、図１）
【発明の開示】
【発明が解決しようとする課題】
【０００４】
ここで、複数のプロジェクタが存在すると、プロジェクタ毎に解像度や輝度等の属性が異なるのが一般である。そして、複数のプロジェクタのそれぞれについて、複数の投影データの内、どの投影データを投影するのかを割り当てる際には、上記プロジェクタの属性を考慮することが望ましい。具体的には、写真や動画等の画像データを投影するプロジェクタの属性は、より鮮明な映像を表現する為に解像度が高く、色の再現領域が広い方が好ましい。一方で、文章データを投影するプロジェクタの属性は、解像度や色は重要視されないが、文字を見易くするために輝度は高い方が好ましい。
【０００５】
しかしながら、前記従来のプロジェクタシステムでは、どのプロジェクタにどの投影データを投影させるのか否かの選択は、ユーザによって手動で行われていた。従って、ユーザ自らがプロジェクタの属性を調べて、そのプロジェクタに最適な投影データを割り当てるように設定する必要があった。
【０００６】
本発明は、前記従来の問題点を解消するためになされたものであり、ユーザの操作を介さずに、プロジェクタの属性に基づいて投影データの割り当て等のプロジェクタに関する各種操作（制御）を自動的に行うことが可能となり、各プロジェクタの属性を考慮した最適な投影画像を容易に得ることを可能としたプロジェクタシステムを提供することを目的とする。
【課題を解決するための手段】
【０００７】
前記目的を達成するため請求項１に係るプロジェクタシステムは、通信可能に接続された複数のプロジェクタと、前記複数のプロジェクタの少なくとも一の属性に基づいて前記複数のプロジェクタの内から一のプロジェクタをマスタープロジェクタとして選択するマスター選択手段と、前記マスター選択手段によって選択されたプロジェクタ以外のプロジェクタをスレーブプロジェクタに設定するプロジェクタ設定手段と、前記マスタープロジェクタにより前記スレーブプロジェクタを操作する操作手段と、を有することを特徴とする。
【０００８】
また、請求項２に係るプロジェクタシステムは、請求項１に記載のプロジェクタシステムにおいて、前記複数のプロジェクタの属性は優先順位が設定された複数種類の属性からなり、前記マスター選択手段は、優先順位の高い属性から順に属性を比較する属性比較手段を備え、前記属性比較手段の比較結果に基づいてマスタープロジェクタを選択することを特徴とする。
【０００９】
また、請求項３に係るプロジェクタシステムは、請求項１に記載のプロジェクタシステムにおいて、前記マスター選択手段は前記プロジェクタにより投影される投影データの内容に基づいて選択基準とする属性の種類を変更することを特徴とする。
【００１０】
また、請求項４に係るプロジェクタシステムは、請求項１乃至請求項３のいずれかに記載のプロジェクタシステムにおいて、前記マスター選択手段は投影輝度、解像度、光源種別、画角、色、使用者が設定可能な属性の内、少なくとも一の属性に基づいてマスタープロジェクタを選択することを特徴とする。
【００１１】
また、請求項５に係るプロジェクタシステムは、請求項１乃至請求項４のいずれかに記載のプロジェクタシステムにおいて、前記複数のプロジェクタのいずれかのプロジェクタに接続され、接続されたプロジェクタに対して投影データを供給する投影データ供給装置と、前記投影データ供給装置に接続されたプロジェクタを仮のマスタープロジェクタに設定するとともに、他のプロジェクタを仮のスレーブプロジェクタに設定する仮プロジェクタ設定手段と、前記マスター選択手段が前記複数のプロジェクタの属性に基づいてマスタープロジェクタを選択できなかった場合に、前記プロジェクタ設定手段は前記仮のマスタープロジェクタをマスタープロジェクタに設定するとともに、前記仮のスレーブプロジェクタをスレーブプロジェクタに設定することを特徴とする。
【００１２】
更に、請求項６に係るプロジェクタシステムは、請求項５に記載のプロジェクタシステムにおいて、前記プロジェクタ設定手段は、前記マスター選択手段が前記複数のプロジェクタの属性に基づいてマスタープロジェクタを選択できなかった場合に、前記仮のマスタープロジェクタをマスタープロジェクタに設定するとともに、前記仮のスレーブプロジェクタをスレーブプロジェクタに設定することを特徴とする。
【発明の効果】
【００１３】
請求項１に係るプロジェクタシステムでは、プロジェクタの属性に基づいてマスタープロジェクタを選択し、選択されたマスタープロジェクタにより他のスレーブプロジェクタを操作するので、ユーザの操作を介さずに、プロジェクタの属性に基づいて投影データの割り当て等のプロジェクタに関する各種操作（制御）を自動的に行うことが可能となる。その結果、各プロジェクタの属性を考慮した最適な投影画像を容易に得ることができる。
【００１４】
また、請求項２に係るプロジェクタシステムでは、優先順位の高い属性から順に属性を比較して、その比較結果に基づいてマスタープロジェクタを選択するので、プロジェクタの属性の内から適当な投影画像を得る為に重要な属性を重視してマスタープロジェクタを選択することが可能となる。その結果、より鮮明で且つ見易い投影画像を得ることが可能となる。
【００１５】
また、請求項３に係るプロジェクタシステムでは、プロジェクタにより投影される投影データの内容に基づいてマスタープロジェクタの選択基準とする属性の種類を変更するので、投影データの内容（例えば、写真や動画等の画像データ、文章データ）を考慮してマスタープロジェクタを選択することが可能となる。その結果、より鮮明で且つ見易い投影画像を得ることが可能となる。
【００１６】
また、請求項４に係るプロジェクタシステムでは、プロジェクタの投影輝度、解像度、光源種別、画角、色、使用者が設定可能な属性の内、少なくとも一の属性に基づいてマスタープロジェクタを選択し、選択されたマスタープロジェクタにより他のスレーブプロジェクタを操作するので、ユーザの操作を介さずに、プロジェクタの属性に基づいて投影データの割り当て等のプロジェクタに関する各種操作（制御）を自動的に行うことが可能となる。
【００１７】
また、請求項５に係るプロジェクタシステムでは、投影データ供給装置に接続されたプロジェクタを仮のマスタープロジェクタに設定し、仮のマスタープロジェクタによってプロジェクタの属性に基づいて真のマスタープロジェクタを選択するので、ユーザの操作によりマスタープロジェクタを選択する必要なく、プロジェクタの属性に基づいて投影データの割り当て等のプロジェクタに関する各種操作（制御）を自動的に行うことが可能となる。
【００１８】
更に、請求項６に係るプロジェクタシステムでは、投影データ供給装置に接続されたプロジェクタを仮のマスタープロジェクタに設定し、プロジェクタの属性に基づいてマスタープロジェクタを選択できなかった場合に、仮のマスタープロジェクタにより他のスレーブプロジェクタを操作するので、プロジェクタの属性によってマスタープロジェクタとすべきプロジェクタの選別ができなかった場合であっても、ユーザの操作を介さずに、プロジェクタの属性に基づいて投影データの割り当て等のプロジェクタに関する各種操作（制御）を自動的に行うことが可能となる。
【発明を実施するための最良の形態】
【００１９】
以下、本発明に係るプロジェクタシステムについて具体化した第１及び第２実施形態について図面を参照しつつ詳細に説明する。
【００２０】
〔第１実施形態〕
先ず、第１実施形態に係るプロジェクタシステム１の構成について図１に基づき説明する。図１は第１実施形態に係るプロジェクタシステム１を示す概略構成図である。
【００２１】
図１に示すように、第１実施形態に係るプロジェクタシステム１は、複数台のプロジェクタ（第１実施形態では第１プロジェクタ２、第２プロジェクタ３、第３プロジェクタ４、第４プロジェクタ５の計４台）と、ＰＣ（Personal Computer）６とから構成されている。
【００２２】
第１プロジェクタ２〜第４プロジェクタ５は、例えば、液晶プロジェクタ、ＤＬＰプロジェクタ、ＬＣＯＳプロジェクタ等によって構成され、光変調素子等の表示デバイスに表示された画像をスクリーンに投影する投影装置である。そして、第１実施形態に係る第１プロジェクタ２〜第４プロジェクタ５では、プロジェクタ毎に割り当てられた投影データをスクリーンに対して投影し、所望の投影画像を得る。
【００２３】
更に、第１プロジェクタ２〜第４プロジェクタ５はプロジェクタ毎に異なる属性を有している。このプロジェクタの属性としては、投影輝度、解像度、画角、光源種別、色等のプロジェクタ毎の固有の値であるデバイス属性と、輝度、コントラスト、台形補正等のユーザが設定可能な設定属性がある。例えば、図１では第１プロジェクタ２〜第４プロジェクタ５による投影輝度の違いについても示しており、第３プロジェクタ４が最も投影輝度が高く、続いて、第２プロジェクタ３、第１プロジェクタ２の順となっており、第４プロジェクタ５が最も投影輝度が低くなっている。
【００２４】
また、第１プロジェクタ２〜第４プロジェクタ５は例えば無線ＬＡＮ等による無線通信によって相互通信可能に構成されている。更に、第１プロジェクタ２〜第４プロジェクタ５の内のいずれか一のプロジェクタ（図１では第１プロジェクタ２）は、ＰＣ６とＵＳＢケーブル等により接続されている。尚、第１プロジェクタ２〜第４プロジェクタ５を互いにＵＳＢケーブル等の通信ケーブルにより接続することによって相互に通信可能に構成しても良く、ＰＣ６との接続に無線通信を使用してもよい。また、第１プロジェクタ２〜第４プロジェクタ５の詳細な構成については後述する。
【００２５】
一方、ＰＣ６は第１プロジェクタ２〜第４プロジェクタ５において投影する為の投影データを、接続されたプロジェクタに対して供給する投影データ供給装置である。そして、ＰＣ６は投影データを記憶するＨＤＤやプロジェクタに接続する為のＵＳＢインターフェース等を備える。ここで、ＰＣ６により供給される投影データとしては、例えば、写真や動画等の画像データの他に、文字によって構成される文章データ等がある。
【００２６】
次に、第１実施形態に係るプロジェクタシステム１を構成する第１プロジェクタ２〜第４プロジェクタ５について図２を用いて説明する。図２は第１実施形態に係る第１プロジェクタ２のブロック図である。尚、第１プロジェクタ２〜第４プロジェクタ５は基本的に同一の構成を有している。従って、以下では第１プロジェクタ２のみを例に挙げて説明することとし、第２プロジェクタ３〜第４プロジェクタ５の説明については省略する。
【００２７】
第１プロジェクタ２は、筐体と、筐体に対して設置された投射用レンズから基本的に構成される。そして、筐体内部には後述するようにＣＰＵ１１、不揮発性メモリ１２、光源であるランプ１３、画像形成素子等からなる照明光学系１４、光変調素子１５、投射用レンズ等からなる結像光学系１６、制御回路としての画像処理回路１７、光変調素子回路１８、ランプ制御回路１９、冷却ファン（図示せず）等を収納する。また、筐体側面には他のプロジェクタとの通信を行う為の無線インターフェース２０、ＰＣ６との通信を行う為のＵＳＢインターフェース２１、リモコン（図示せず）からのユーザの操作情報を受信する赤外線受光部２２及び赤外線制御部２３、ユーザの入力操作を受け付ける操作パネル２４が設けられている。
【００２８】
以下に、第１プロジェクタ２を構成する各構成要素について説明する。
ＣＰＵ１１は第１プロジェクタ２の全体の制御を行う演算装置及び制御装置である。
また、不揮発性メモリ１２は、ＣＰＵ１１で実行される制御用のプログラムのほか、投影データ、プロジェクタの属性に関する属性情報（図９参照）、優先順位リスト（図１１参照）等が記憶される記憶手段である。また、本プロジェクタがマスタープロジェクタに設定された場合には、プロジェクタシステム１を構成する各プロジェクタ（第１実施形態では第１プロジェクタ２〜第４プロジェクタ５）に関するプロジェクタリスト（図１０参照）についても記憶される。
【００２９】
また、ランプ１３は、第１プロジェクタ２の光源であり、例えばＬＥＤ（Light Emitting Diode）、高圧水銀ランプ、超高圧水銀ランプ等が用いられる。
また、照明光学系１４は、例えばライトトンネル、絞り、反射ミラー、レンズ等によって構成され、光源から入射される光を光軸上に集光し、光変調素子に導く為の光路を形成する。
【００３０】
また、光変調素子１５は、例えば透過型のＬＣＤ（Liquid Crystal Display）或いはＤＭＤ（Digital Mirror Device）等から構成され、光源から入射される光を変調し、投影されるべき投影画像を生成する画像形成素子である。
【００３１】
また、結像光学系１６は光変調素子で生成された投影画像を結像させる手段であり、光変調素子で生成された投影画像を拡大してスクリーン（投影面）に対して投射する投影用レンズ等から構成される。
【００３２】
また、画像処理回路１７及び光変調素子回路１８は、不揮発性メモリ１２に記憶された投影データに基づいて光変調素子１５を制御する。
また、ランプ制御回路１９は、操作パネル２４に設けられた電源スイッチのＯＮ操作及びＯＦＦ操作に基づいて点灯状態と消灯状態とを切り替えるようにランプ１３を制御する。
【００３３】
そして、上記構成を有する第１プロジェクタ２によれば、ランプ１３より出射された光は先ず照明光学系１４に入射する。照明光学系１４に入射した光は、ライトトンネルやレンズ等を通過して光変調素子１５に至る。光変調素子１５に入射した光は変調されて画像を生成する。その後、変調された光は結像光学系１６に導かれ、投影用レンズ等により拡大されてスクリーンに対して所定サイズで投影される。
【００３４】
続いて、前記構成を有する第１プロジェクタ２〜第４プロジェクタ５において実行する投影処理プログラムについて図３〜図８に基づき説明する。図３は第１実施形態に係る投影処理プログラムのフローチャートである。ここで、投影処理プログラムは第１プロジェクタ２〜第４プロジェクタ５の電源がＯＮされた後に実行され、マスタープロジェクタ又はスレーブプロジェクタへの設定を行うとともに、プロジェクタ毎に割り当てられた投影データに基づく投影を行うプログラムである。尚、以下の図３〜図８にフローチャートで示されるプログラムは、第１プロジェクタ２〜第４プロジェクタ５が備えている不揮発性メモリ１２等に記憶されており、各ＣＰＵ１１により実行される。
【００３５】
先ず、ステップ（以下、Ｓと略記する）１において、ＣＰＵ１１はＰＣ６からＵＳＢインターフェース２１を介して投影データを受信したか否かを判定する。ここで、第１実施形態に係るプロジェクタシステム１では、複数のプロジェクタの内、ＰＣ６に接続されたプロジェクタ（図１では第１プロジェクタ２）のみがＰＣ６から投影データを受信する。
【００３６】
そして、ＰＣ６から投影データを受信したと判定された場合（Ｓ１：ＹＥＳ）には、本プロジェクタを仮のマスタープロジェクタに設定し、後述のプロジェクタリスト（図１０）を作成するプロジェクタ検出処理（Ｓ２）を行う。その後、Ｓ７へと移行する。一方、ＰＣ６から投影データを受信していないと判定された場合（Ｓ１：ＮＯ）には、Ｓ３へと移行する。
【００３７】
Ｓ３においてＣＰＵ１１は、仮のマスタープロジェクタから送信されるスレーブ指定を受信したか否かを判定する。ここで、スレーブ指定は仮のマスタープロジェクタに設定されたプロジェクタが他のプロジェクタをスレーブプロジェクタに指定する為に送信（Ｓ２４）されるデータであり、スレーブ指定を受信した本プロジェクタは後述のように仮のスレーブプロジェクタに設定される。
【００３８】
そして、仮のマスタープロジェクタから送信されるスレーブ指定を受信したと判定された場合（Ｓ３：ＹＥＳ）にはＳ４へと移行する。一方、仮のマスタープロジェクタから送信されるスレーブ指定を受信していないと判定された場合（Ｓ３：ＮＯ）にはＳ１へと戻り、ＣＰＵ１１は再度投影データを受信したか否かを判定する。
【００３９】
次にＳ４でＣＰＵ１１は、スレーブ指定の送信元であるプロジェクタを仮のマスタープロジェクタとして登録する。続いて、Ｓ５でＣＰＵ１１は、本プロジェクタの投影モードをスレーブモードに仮設定する（即ち、本プロジェクタを仮のスレーブプロジェクタに設定する）。
【００４０】
更に、Ｓ６でＣＰＵ１１は前記Ｓ４で登録された仮のマスタープロジェクタに本プロジェクタの属性情報を送信する。ここで、プロジェクタの属性情報は、図９に示すようにプロジェクタ毎の固有の値であるデバイス属性に関する情報と、台形補正等のユーザが設定可能な設定属性に関する情報が含まれる。そして、デバイス属性に関する情報としては、例えば投影輝度、解像度、画角、光源種別、色等に関する情報が有る。また、設定属性に関する情報としては、例えば輝度、コントラスト、台形補正等に関する情報がある。尚、設定属性については操作パネル２４やリモコンを用いたユーザの操作により変更可能に構成されている。
【００４１】
その後、Ｓ７でＣＰＵ１１は本プロジェクタの投影モードがマスターモード又はスレーブモードのいずれかに仮設定済みか否か、即ち本プロジェクタがマスタープロジェクタ又はスレーブプロジェクタのいずれかに仮設定されているか否か判定する。
【００４２】
その結果、投影モードが仮設定済みであると判定された場合（Ｓ７：ＹＥＳ）にはＳ８へと移行する。一方、投影モードがまだ仮設定されていないと判定された場合（Ｓ７：ＮＯ）にはＳ１へと戻り、継続して前記Ｓ１以降の処理を実行する。尚、Ｓ７の処理は必須の処理ではなく、Ｓ７の処理は省略しても良い。
【００４３】
更に、Ｓ８では本プロジェクタで設定（仮設定を含む）された投影モードがマスターモードかスレーブモードであるか判定される。そして、本プロジェクタに設定された投影モードがマスターモードであると判定された場合（Ｓ８：ＹＥＳ）には、ＣＰＵ１１は後述のマスターモード処理（Ｓ９）を行う。その後、Ｓ１３へと移行する。
【００４４】
一方、本プロジェクタに設定された投影モードがスレーブモードであると判定された場合（Ｓ８：ＮＯ）には、ＣＰＵ１１は後述のスレーブモード処理（Ｓ１０）を行う。その後、Ｓ１１へと移行する。
【００４５】
Ｓ１１においてＣＰＵ１１は、マスタープロジェクタから投影の終了通知を受信したか否かを判定する。そして、マスタープロジェクタから投影の終了通知を受信したと判定された場合（Ｓ１１：ＹＥＳ）には、本プロジェクタに設定された投影モードをクリアし（Ｓ１２）、Ｓ１へと戻る。それに対して、マスタープロジェクタから送信（Ｓ１５）された投影の終了通知を受信していないと判定された場合（Ｓ１１：ＮＯ）にはＳ１３へと移行する。
【００４６】
Ｓ１３でＣＰＵ１１は、本プロジェクタの投影モードをマスターモード又はスレーブモードのいずれかに設定する後述のモード設定処理を行う。
【００４７】
その後、Ｓ１４でＣＰＵ１１は、ユーザの操作によって本プロジェクタの投影制御の終了が選択されたか否か判定する。そして、本プロジェクタの投影制御の終了が選択されたと判定された場合（Ｓ１４：ＹＥＳ）には、プロジェクタシステム１を構成する全プロジェクタに対して、本プロジェクタが投影を終了することを通知する（Ｓ１５）。一方、本プロジェクタの投影制御の終了が選択されていないと判定された場合（Ｓ１４：ＮＯ）にはＳ８へと戻り、再度、本プロジェクタに設定された投影モードが判定される。
【００４８】
次に、前記Ｓ２のプロジェクタ検出処理のサブ処理プログラムについて図４を用いて説明する。図４は前記Ｓ２で実行されるプロジェクタ検出処理のサブ処理プログラムのフローチャートである。
【００４９】
先ず、プロジェクタ検出処理のＳ２１においてＣＰＵ１１は、本プロジェクタの投影モードをマスターモードに仮設定する（即ち、本プロジェクタを仮のマスターモードに設定する）。その後、Ｓ２２においてＣＰＵ１１は、本プロジェクタを不揮発性メモリ１２に格納された後述のプロジェクタリスト（図１０）に追加する。
【００５０】
次に、Ｓ２３でＣＰＵ１１はプロジェクタシステム１において稼動中の他のプロジェクタ（即ち、仮のスレーブプロジェクタ）を検出する。更に、Ｓ２４でＣＰＵ１１は前記Ｓ２３で検出された他のプロジェクタへスレーブ指定を送信する。
【００５１】
その後、Ｓ２５でＣＰＵ１１はスレーブ指定を送信した他のプロジェクタから送信（Ｓ６）された属性情報を受信する。次に、Ｓ２６においてＣＰＵ１１は、前記Ｓ２５で受信した属性情報に基づいて前記Ｓ２３で検出されたプロジェクタをプロジェクタリストに登録する。
【００５２】
ここで、図１０は上記Ｓ２１〜Ｓ２６で作成されるプロジェクタリストの一例を示した図である。尚、図１０に示すプロジェクタリストは、本プロジェクタを含めた４台のプロジェクタが稼動している場合に作成されるプロジェクタリストである。
図１０に示すように、プロジェクタリストにはプロジェクタを識別するプロジェクタ名と、投影輝度、解像度等の各プロジェクタの属性とから構成される。そして、プロジェクタリストは、後述するように優先順位リスト（図１１参照）に基づく属性の比較とマスタープロジェクタの選択に用いられる。
【００５３】
次に、前記Ｓ９のマスターモード処理のサブ処理プログラムについて図５を用いて説明する。図５は前記Ｓ９で実行されるマスターモード処理のサブ処理プログラムのフローチャートである。
【００５４】
先ず、マスターモード処理のＳ３１においてＣＰＵ１１は、スレーブプロジェクタから送信（Ｓ１５）された投影の終了通知を受信したか否かを判定する。そして、スレーブプロジェクタからの終了通知を受信したと判定された場合（Ｓ３１：ＹＥＳ）には、終了通知を受信したプロジェクタをプロジェクタリスト（図１０）から削除する（Ｓ３２）。一方、スレーブプロジェクタからの終了通知を受信していないと判定された場合（Ｓ３１：ＮＯ）にはＳ３３へと移行する。
【００５５】
続いて、Ｓ３３でＣＰＵ１１は、後述の優先順位リスト（図１１）に基づく各プロジェクタの属性の比較（Ｓ４１、Ｓ４６）を未実行であるか否か、即ち、各プロジェクタに仮の投影モードが設定されたままの状態であるか否か判定する。その結果、各プロジェクタの属性の比較が未実行であると判定された場合（Ｓ３３：ＹＥＳ）には、後述の投影モード設定処理（Ｓ３５）が行われる。尚、投影モード設定処理では優先順位リスト（図１１）に基づいて優先順位の高い順に各プロジェクタの属性を比較し、マスタープロジェクタの選択を行う。
【００５６】
それに対して、各プロジェクタの属性の比較が実行済みであると判定された場合（Ｓ３３：ＮＯ）には、更に、優先順位リスト（図１１）におけるプロジェクタの属性の優先順位を変更したか否か判定される（Ｓ３４）。尚、プロジェクタの属性の優先順位はユーザの操作に基づいて変更可能にしても良いし、投影内容に基づいてプロジェクタ側で自動的に変更可能にしても良い。
【００５７】
そして、プロジェクタの属性の優先順位が変更されたと判定された場合（Ｓ３４：ＹＥＳ）にはＳ３５へと移行する。一方、プロジェクタの属性の優先順位が変更されていないと判定された場合（Ｓ３４：ＮＯ）にはＳ３６へと移行する。
【００５８】
Ｓ３６においてＣＰＵ１１は、接続されているＰＣ６から入力された投影データ又は他のプロジェクタを介して転送された投影データを受信したか否かを判定する。そして、ＰＣ６又は他のプロジェクタから新たに投影データを受信したと判定された場合（Ｓ３６：ＹＥＳ）にはＳ３７へと移行する。それに対して、ＰＣ６又は他のプロジェクタから投影データを受信していないと判定された場合（Ｓ３６：ＮＯ）にはマスターモード処理を終了し、Ｓ１３へと移行する。
【００５９】
Ｓ３７でＣＰＵ１１は、ＰＣ６又は他のプロジェクタから新たに受信した投影データの配信先を決定する。尚、配信先の決定する際には投影データの内容と配信先となるスレーブプロジェクタの属性を考慮することが望ましい。具体的には、写真や動画等の画像データを投影するプロジェクタの属性は、より鮮明な映像を表現する為に解像度が高く、色の再現領域が広い方が好ましい。一方で、文章データを投影するプロジェクタの属性は、解像度や色は重要視されないが、文字を見易くするために輝度は高い方が好ましい。
【００６０】
次に、Ｓ３８でＣＰＵ１１は、前記Ｓ３７で決定された配信先のプロジェクタに対して投影データを配信する。更に、ＣＰＵ１１は本プロジェクタのフレームメモリに対してマスタープロジェクタ用の投影画像を描画する（Ｓ３９）。
【００６１】
次に、前記Ｓ３５の投影モード設定処理のサブ処理プログラムについて図６を用いて説明する。図６は前記Ｓ３５で実行される投影モード設定処理のサブ処理プログラムのフローチャートである。
【００６２】
先ず、投影モード設定処理のＳ４１においてＣＰＵ１１は、不揮発性メモリ１２に記憶された優先順位リストを参照し、最も優先順位の高い属性についてプロジェクタリスト（図１０）に登録された各プロジェクタを比較する。ここで、図１１は優先順位リストの一例を示した図である。例えば、図１１に示す優先順位リストでは、最も優先順位の高い属性が『投影輝度』で、２番目に優先順位の高い属性が『光源』で、３番目に優先順位の高い属性が『画角』で、４番目に優先順位の高い属性が『解像度』となっている。
そして、前記Ｓ４１においてＣＰＵ１１は、図１１に示す優先順位リストが不揮発性メモリ１２に記憶されている場合には、先ず『投影輝度』についてプロジェクタリスト（図１０）に登録された各プロジェクタを比較する。
【００６３】
次に、Ｓ４２でＣＰＵ１１は、前記Ｓ４１で属性を比較した結果、マスタープロジェクタが選択できるか否か判定する。具体的に第１実施形態では、プロジェクタリストに登録された本プロジェクタを含む複数のプロジェクタの内、比較する属性について最も優れた一のプロジェクタが特定できた場合に、その特定したプロジェクタをマスタープロジェクタとして選択する。
【００６４】
そして、マスタープロジェクタが選択できると判定された場合（Ｓ４２：ＹＥＳ）には、プロジェクタリストに登録された本プロジェクタを含む複数のプロジェクタの内、比較する属性について最も優れたプロジェクタをマスタープロジェクタとして選択し、選択したプロジェクタにマスタープロジェクタとする旨のマスター指定を送信する（Ｓ４３）。その後、投影モード設定処理を終了し、Ｓ１３へと移行する。尚、ＣＰＵ１１が選択されたプロジェクタに対してマスタープロジェクタとする旨を通知する際には、プロジェクタリストと優先順位リストについても併せて当該プロジェクタへと送信する。
【００６５】
一方で、現在比較対象とする属性ではマスタープロジェクタを選択することができないと判定された場合（Ｓ４２：ＮＯ）にはＳ４４へと移行する。Ｓ４４でＣＰＵ１１は優先順位リストにある全ての属性について、プロジェクタリストに登録された複数のプロジェクタの比較が終了したか否かを判定する。
【００６６】
その結果、優先順位リストにある全ての属性について比較が終了したと判定された場合（Ｓ４４：ＹＥＳ）には、投影モード設定処理を終了し、Ｓ１３へと移行する。尚、全属性を比較してもマスタープロジェクタを選択することができなかった場合には、仮のマスタープロジェクタがマスタープロジェクタに設定され、仮のスレーブプロジェクタがスレーブプロジェクタに設定されることとなる。
それに対して、前記Ｓ４４において優先順位リストにある全ての属性について比較が終了していないと判定された場合（Ｓ４４：ＮＯ）には、Ｓ４５へと移行する。
【００６７】
Ｓ４５でＣＰＵ１１は、比較対象とする属性を、現在より一段階優先順位が下位の属性へと変更する。そして、ＣＰＵ１１は変更された属性についてプロジェクタリストに登録された各プロジェクタを比較する（Ｓ４６）。その後、Ｓ４２へと戻り、ＣＰＵ１１は前記Ｓ４６で属性を比較した結果、マスタープロジェクタが選択できるか否か判定する。
【００６８】
ここで、上記Ｓ４１〜Ｓ４６の処理について図１０に示すプロジェクタリストが登録され、且つ図１１に示す優先順位リストが不揮発性メモリ１２に記憶されている場合を例に挙げて説明する。
この場合には、先ず最も優先順位の高い『投影輝度』について「ａ１」〜「ｄ１」の４台のプロジェクタを比較する。その結果、『投影輝度』では、「ａ１」、「ｂ１」、「ｄ１」の３台のプロジェクタが同一値であり、優劣をつけることができないので、次に、２番目に優先順位の高い『光源』について「ａ１」〜「ｄ１」の４台のプロジェクタを比較する。すると、『光源』についても「ｂ１」、「ｃ１」の２台が同じＬＥＤ光源を用いており、優劣をつけることができないので、次に、３番目に優先順位の高い『画角』について「ａ１」〜「ｄ１」の４台のプロジェクタを比較する。その結果、「ａ１」のプロジェクタが最も画角が広いので、「ａ１」のプロジェクタがマスタープロジェクタとして選択される。
【００６９】
次に、前記Ｓ１０のスレーブモード処理のサブ処理プログラムについて図７を用いて説明する。図７は前記Ｓ１０で実行されるスレーブモード処理のサブ処理プログラムのフローチャートである。
【００７０】
先ず、スレーブモード処理のＳ５１においてＣＰＵ１１は、本プロジェクタに接続されたＰＣ６から、投影データが入力されたか否か判定する。そして、ＰＣ６から投影データが入力されたと判定された場合（Ｓ５１：ＹＥＳ）には、ＣＰＵ１１は、ＰＣ６から入力された投影データを、登録（Ｓ４）されたマスタープロジェクタへと転送する（Ｓ５２）。その後、スレーブモード処理を終了し、Ｓ１１へと移行する。
【００７１】
一方、ＰＣ６から投影データが入力されていないと判定された場合（Ｓ５１：ＮＯ）には、Ｓ５３へと移行する。尚、本プロジェクタに投影モードが設定されていない状態で投影データが入力された場合には、前記したように本プロジェクタは仮のマスターモードへと設定される（Ｓ２）。
【００７２】
Ｓ５３でＣＰＵ１１は、マスタープロジェクタから配信（Ｓ３８）された投影データを受信したか否か判定する。その結果、マスタープロジェクタから投影データを受信したと判定された場合（Ｓ５３：ＹＥＳ）には、ＣＰＵ１１は本プロジェクタのフレームメモリに対して割り当てられたスレーブプロジェクタ用の投影画像を描画する（Ｓ５４）。それに対して、マスタープロジェクタから投影データを受信していないと判定された場合（Ｓ５３：ＮＯ）には、スレーブモード処理を終了し、Ｓ１１へと移行する。
【００７３】
次に、前記Ｓ１３のモード設定処理のサブ処理プログラムについて図８を用いて説明する。図８は前記Ｓ１３で実行されるモード設定処理のサブ処理プログラムのフローチャートである。
【００７４】
先ず、モード設定処理のＳ６１においてＣＰＵ１１は、マスタープロジェクタから送信されたスレーブ指定を受信したか否か判定する。尚、スレーブ指定は後述するＳ６６においてマスタープロジェクタとなるプロジェクタにより送信される。
【００７５】
そして、マスタープロジェクタからスレーブ指定を受信したと判定された場合（Ｓ６１：ＹＥＳ）には、Ｓ６２へと移行する。Ｓ６２でＣＰＵ１１は、本プロジェクタが仮のマスタープロジェクタに設定されていた場合に作成され（Ｓ２２、Ｓ２６）、不揮発性メモリ１２に記憶されているプロジェクタリスト（図１０）を破棄する。
【００７６】
更に、Ｓ６３でＣＰＵ１１は、スレーブ指定の送信元であるプロジェクタをマスタープロジェクタとして登録する。続いて、Ｓ６４でＣＰＵ１１は、本プロジェクタの投影モードをスレーブモードに設定する（即ち、本プロジェクタをスレーブプロジェクタに設定する）。その後、モード設定処理を終了し、Ｓ１４へと移行する。
【００７７】
一方、マスタープロジェクタからスレーブ指定を受信していないと判定された場合（Ｓ６１：ＮＯ）には、続いて、ＣＰＵ１１は仮のマスタープロジェクタから送信されたマスター指定を受信したか否か判定する（Ｓ６５）。尚、マスター指定は前記Ｓ４３において仮のマスタープロジェクタに設定されていたプロジェクタにより送信される。
【００７８】
そして、仮のマスタープロジェクタからマスター指定を受信したと判定された場合（Ｓ６５：ＹＥＳ）には、Ｓ６６へと移行する。Ｓ６６でＣＰＵ１１は、プロジェクタリストに登録されたプロジェクタの内、本プロジェクタを除く全プロジェクタへスレーブ指定を送信する。
【００７９】
更に、Ｓ６７でＣＰＵ１１は、本プロジェクタの投影モードをマスターモードに設定する（即ち、本プロジェクタをマスタープロジェクタに設定する）。その後、モード設定処理を終了し、Ｓ１４へと移行する。そして、投影データが新たにＰＣ６から入力された場合には、投影データは一旦マスタープロジェクタへと転送され、マスタープロジェクタによって各スレーブプロジェクタへの投影データの割り当てと配信が行われる。
【００８０】
ここで、図１２は図１に示すプロジェクタシステム１において、優先順位リストで『投影輝度』が最も高い優先順位とされ、第３プロジェクタ４がマスタープロジェクタに設定された場合を示した図である。図１２に示すように、第３プロジェクタ４がマスタープロジェクタに設定された場合には、ＰＣ６から投影データがスレーブプロジェクタである第１プロジェクタ２に入力された場合に、第１プロジェクタ２から第３プロジェクタ４へと投影データが転送される（Ｓ５２）。そして、第３プロジェクタ４は転送された投影データについて配信先のプロジェクタを決定する（Ｓ３７）。次に、第３プロジェクタ４は決定された配信先のプロジェクタに対して投影データを配信する（Ｓ３８）。そして、第３プロジェクタ４ではフレームメモリに対してマスタープロジェクタ用の投影画像を描画し（Ｓ３９）、一方で、第１プロジェクタ２、第２プロジェクタ３及び第４プロジェクタ５では第３プロジェクタ４から配信されたスレーブプロジェクタ用の投影画像をフレームメモリに対して描画する（Ｓ５４）。その結果、所望の投影画像をスクリーン上に得ることが可能となる。
【００８１】
以上説明した通り第１実施形態に係るプロジェクタシステム１では、仮のマスタープロジェクタに設定されたプロジェクタが、優先順位リスト（図１１）に従って優先順位の高い属性から順にプロジェクタシステム１を構成する各プロジェクタの属性を比較し（Ｓ４１）、その比較結果に基づいてマスタープロジェクタを選択し（Ｓ４３）、選択されたマスタープロジェクタにより他のスレーブプロジェクタを操作する（Ｓ３７〜Ｓ３９）ので、ユーザの操作を介さずに、プロジェクタの属性に基づいて投影データの割り当て等のプロジェクタに関する各種操作（制御）を自動的に行うことが可能となる。その結果、各プロジェクタの属性を考慮した最適な投影画像を容易に得ることができる。
また、マスタープロジェクタの選択（Ｓ４３）では、優先順位の高い属性（プロジェクタの投影輝度、解像度、光源種別、画角、色、使用者が設定可能な属性）から順に属性を比較して、その比較結果に基づいてマスタープロジェクタを選択するので、プロジェクタの属性の内から適当な投影画像を得る為に重要な属性を重視してマスタープロジェクタを選択することが可能となる。その結果、より鮮明で且つ見易い投影画像を得ることが可能となる。
また、ＰＣ６に接続されたプロジェクタを仮のマスタープロジェクタに設定し（Ｓ２１）、仮のマスタープロジェクタによってプロジェクタの属性に基づいて真のマスタープロジェクタを選択する（Ｓ４３）ので、ユーザの操作によりマスタープロジェクタを選択する必要なく、プロジェクタの属性に基づいて投影データの割り当て等のプロジェクタに関する各種操作（制御）を自動的に行うことが可能となる。
更に、ＰＣ６に接続されたプロジェクタを仮のマスタープロジェクタに設定し（Ｓ２１）、プロジェクタの属性に基づいてマスタープロジェクタを選択できなかった場合に、仮のマスタープロジェクタにより他のスレーブプロジェクタを操作するので、プロジェクタの属性によってマスタープロジェクタとすべきプロジェクタの選別ができなかった場合であっても、ユーザの操作を介さずに、プロジェクタの属性に基づいて投影データの割り当て等のプロジェクタに関する各種操作（制御）を自動的に行うことが可能となる。
【００８２】
〔第２実施形態〕
次に、第２実施形態に係るプロジェクタシステムについて図１３に基づいて説明する。尚、以下の説明において上記図１乃至図１２の第１実施形態に係るプロジェクタシステム１の構成と同一符号は、前記第１実施形態に係るプロジェクタシステム１等の構成と同一あるいは相当部分を示すものである。
【００８３】
この第２実施形態に係るプロジェクタシステムの概略構成は、第１実施形態に係るプロジェクタシステム１とほぼ同じ構成である。また、各種制御処理も第１実施形態に係るプロジェクタシステム１とほぼ同じ制御処理である。しかしながら、第２実施形態に係るプロジェクタシステムは、前記Ｓ３５で実行される投影モード設定処理が第１実施形態に係るプロジェクタシステム１と異なっている。
【００８４】
以下に、第２実施形態に係るプロジェクタシステムを構成するプロジェクタのＣＰＵ１１が実行する前記Ｓ３５の投影モード設定処理のサブ処理プログラムについて図１３を用いて説明する。図１３は前記Ｓ３５で実行される投影モード設定処理のサブ処理プログラムのフローチャートである。
【００８５】
先ず、投影モード設定処理のＳ１０１においてＣＰＵ１１は、接続されているＰＣ６から入力された投影データ又は他のプロジェクタを介して転送された投影データの内容を識別する。
【００８６】
次に、Ｓ１０２でＣＰＵ１１は、接続されているＰＣ６から入力された投影データ又は他のプロジェクタを介して転送された投影データの内容が、画像データ（ｊｐｇ，ｂｍｐ，ｍｐｇ，ａｖｉ等）であるか否か判定する。
【００８７】
その結果、投影データの内容が画像データであると判定された場合（Ｓ１０２：ＹＥＳ）には、色再現域に関する属性についてプロジェクタリストに登録された各プロジェクタを比較する（Ｓ１０３）。
【００８８】
次に、Ｓ１０４でＣＰＵ１１は、前記Ｓ１０３で色再現域に関する属性を比較した結果、プロジェクタリストに登録された本プロジェクタを含む複数のプロジェクタの内、色再現域が最も広い一のプロジェクタを選択できるか否か判定する。
【００８９】
そして、色再現域が最も広いプロジェクタが選択できると判定された場合（Ｓ１０４：ＹＥＳ）には、色再現域が最も広いプロジェクタをマスタープロジェクタとして選択し、選択したプロジェクタにマスタープロジェクタとする旨のマスター指定を送信する（Ｓ１０５）。その後、投影モード設定処理を終了し、Ｓ１３へと移行する。
【００９０】
それに対して、同一広さの色再現域を有するプロジェクタが複数あり、色再現域が最も広いプロジェクタが選択できないと判定された場合（Ｓ１０４：ＮＯ）には、投影モード設定処理を終了し、Ｓ１３へと移行する。尚、最も色再現域の広いプロジェクタを選択することができなかった場合には、仮のマスタープロジェクタがマスタープロジェクタに設定され、仮のスレーブプロジェクタがスレーブプロジェクタに設定されることとなる。
【００９１】
一方、前記Ｓ１０２において、投影データの内容が画像データでないと判定された場合（Ｓ１０２：ＮＯ）、即ち投影データの内容が文章データ（ｔｘｔ，ｄｏｃ等）である場合には、解像度に関する属性についてプロジェクタリストに登録された各プロジェクタを比較する（Ｓ１０６）。
【００９２】
次に、Ｓ１０７でＣＰＵ１１は、前記Ｓ１０６で解像度に関する属性を比較した結果、プロジェクタリストに登録された本プロジェクタを含む複数のプロジェクタの内、解像度が最も高い一のプロジェクタを選択できるか否か判定する。
【００９３】
そして、解像度が最も高いプロジェクタが選択できると判定された場合（Ｓ１０７：ＹＥＳ）には、解像度が最も高いプロジェクタをマスタープロジェクタとして選択し、選択したプロジェクタにマスタープロジェクタとする旨のマスター指定を送信する（Ｓ１０８）。その後、投影モード設定処理を終了し、Ｓ１３へと移行する。
【００９４】
それに対して、同一広さの解像度を有するプロジェクタが複数あり、解像度が最も高いプロジェクタが選択できないと判定された場合（Ｓ１０７：ＮＯ）には、投影モード設定処理を終了し、Ｓ１３へと移行する。尚、最も解像度の高いプロジェクタを選択することができなかった場合には、仮のマスタープロジェクタがマスタープロジェクタに設定され、仮のスレーブプロジェクタがスレーブプロジェクタに設定されることとなる。
【００９５】
以上説明した通り第２実施形態に係るプロジェクタシステムでは、プロジェクタにより投影される投影データの内容に基づいてマスタープロジェクタの選択基準とする属性の種類を変更するので、投影データの内容（例えば、写真や動画等の画像データ、文章データ）を考慮してマスタープロジェクタを選択することが可能となる。その結果、より鮮明で且つ見易い投影画像を得ることが可能となる。
【００９６】
尚、本発明は前記実施例に限定されるものではなく、本発明の要旨を逸脱しない範囲内で種々の改良、変形が可能であることは勿論である。
例えば、第１及び第２実施形態ではマスタープロジェクタによって行われるスレーブプロジェクタの操作としては、投影データの割り当て及び投影データの送信（Ｓ３７〜Ｓ３９）のみとなっているが、スレーブプロジェクタの設定（明るさや台形補正などの設定値）や投影状態の制御を行うようにしても良い。
【００９７】
また、第２実施形態では、投影データの内容が画像データであった場合には色再現域に関する属性のみに基づいてマスタープロジェクタの選択を行っているが、色再現域に関する属性を最も高い優先順位とした優先順位テーブルを作成し、その優先順位に従って属性の比較を行い、マスタープロジェクタを選択するようにしても良い。また同様にして、投影データの内容が文章データであった場合には、解像度に関する属性を最も高い優先順位とした優先順位テーブルを作成し、その優先順位に従って属性の比較を行い、マスタープロジェクタを選択するようにしても良い。
【図面の簡単な説明】
【００９８】
【図１】第１実施形態に係るプロジェクタシステムを示す概略構成図である。
【図２】第１実施形態に係る第１プロジェクタのブロック図である。
【図３】第１実施形態に係る投影処理プログラムのフローチャートである。
【図４】ステップ２で実行されるプロジェクタ検出処理のサブ処理プログラムのフローチャートである。
【図５】ステップ９で実行されるマスターモード処理のサブ処理プログラムのフローチャートである。
【図６】ステップ３５で実行される投影モード設定処理のサブ処理プログラムのフローチャートである。
【図７】ステップ１０で実行されるスレーブモード処理のサブ処理プログラムのフローチャートである。
【図８】ステップ１３で実行されるモード設定処理のサブ処理プログラムのフローチャートである。
【図９】プロジェクタの属性情報の一例を示した図である。
【図１０】プロジェクタリストの一例を示した図である。
【図１１】優先順位リストの一例を示した図である。
【図１２】図１に示すプロジェクタシステムにおいて、優先順位リストで『投影輝度』が最も高い優先順位とされ、第３プロジェクタがマスタープロジェクタに設定された場合を示した図である。
【図１３】第２実施形態に係るプロジェクタにおいて実行される投影モード設定処理のサブ処理プログラムのフローチャートである。
【符号の説明】
【００９９】
１            プロジェクタシステム
２            第１プロジェクタ
３            第２プロジェクタ
４            第３プロジェクタ
５            第４プロジェクタ
６            ＰＣ
１１          ＣＰＵ
【図１】
2008304837.tif 000003
【図２】
2008304837.tif 000004
【図３】
2008304837.tif 000005
【図４】
2008304837.tif 000006
【図５】
2008304837.tif 000007
【図６】
2008304837.tif 000008
【図７】
2008304837.tif 000009
【図８】
2008304837.tif 000010
【図９】
2008304837.tif 000011
【図１０】
2008304837.tif 000012
【図１１】
2008304837.tif 000013
【図１２】
2008304837.tif 000014
【図１３】
2008304837.tif 000015